(57)【要約】【課題】製品仕様にあわせて発光素子の電気配線構造を切替える場合、発光素子の実装位置を多く必要とし、発光素子の発光部中心位置が変わる、または、切替え用部品を使用しコストアップするという課題を解決すること。【解決手段】本発明の発光素子の電気配線構造１０１を備え、一つの発光素子に対して、発光素子実装位置１０２と、複数の接続部１０４，１０５，１０６、１０７を備え、発光素子の発光部中心１０３を軸に、発光素子の方向を変更するだけで、発光素子が接続する接続部を切替えることが出来るので、余分な発光素子の実装位置を必要とせず、発光素子の発光部中心位置を変えず、切替え用部品も使用せずに、発光素子と接続する接続部を切替え可能とする。【選択図】図１
2009020377.tif 000002
【特許請求の範囲】
【請求項１】
発光素子と、前記発光素子の発光部中心位置を変更せずに電気的接続可能な複数の接続部とを備えた発光素子の電気配線構造。
【請求項２】
前記接続部は、前記発光素子の表示制御を行なう制御部と接続されている、請求項１に記載の発光素子の電気配線構造。
【請求項３】
前記発光素子が、マトリックス状に配置された複数のＬＥＤ（発光ダイオード）で構成されたことを特徴とする請求項１または請求項２に記載の発光素子の電気配線構造。
【発明の詳細な説明】
【技術分野】
【０００１】
本発明は、発光素子を配置し、個々の発光素子の点灯や消灯を制御することで文字や静止画などの表示が可能な表示装置や表示ユニットなどに使用される発光素子の電気配線構造に関するものである。
【背景技術】
【０００２】
近年、マトリックス状に配置された複数の発光素子で構成された表示装置は、表示部の大画面化、高輝度化、多色化に伴い、１画素を複数の発光素子で構成し、輝度の向上やカラー化を行なっている。例えば、１画素を同一色３個の発光素子を直列配置し、一括制御を行なうことで１画素が高輝度となる単色表示装置や、１画素を赤色、緑色、青色の合計３個の発光素子を配置し、個別制御を行なうことで複数色表示を行いカラー化に対応している。
【０００３】
従来の発光素子の電気配線構造は、１画素を同一色３個の発光素子を直列制御している単色表示装置を、１画素を赤色、緑色、青色の合計３個の発光素子を並列配置し個別制御する複数色表示装置とする場合、発光素子との接続部を単色表示用と複数色表示用に分離し用意するか、発光素子の制御回路の切替え用部品を使用する方法がある。図３と図４は従来の発光素子の電気配線構造を示すものである。
【０００４】
図３において、電源部１００１から発光素子に電圧を供給し、制御部１００３が１画素分発光素子領域１００２内の発光素子を点灯制御する。
【０００５】
単色表示の時は、単色表示用発光素子領域１００４内の発光素子実装位置１００６に、複数色表示の時は、複数色表示用発光素子領域１００５内の発光素子実装位置１００６に発光素子を接続部１００７と電気的に接続することで、単色表示と複数色表示を切替えしていた。
【０００６】
図４において、電源部１１０１から発光素子に電圧を供給し、制御部１１０３が１画素分発光素子領域１１０２内の発光素子を点灯制御する。
【０００７】
単色表示の時は、単色表示用切替え部品１１０４を実装し、複数色表示の時は、複数色表示用切替え部品１１０５を実装し、発光素子実装位置１１０６に発光素子を接続部１１０７と電気的に接続することで単色表示と複数色表示を切替えしていた。
【０００８】
なお、この出願の発明に関連する先行技術文献情報としては、例えば、特許文献１が知られている。
【特許文献１】特開２００２−５５３３９号公報
【発明の開示】
【発明が解決しようとする課題】
【０００９】
しかしながら、前記従来の構成では、製品仕様にあわせて前記単色表示と前記複数色表示を切替えようとすると、図３の場合は余分な前記発光素子の実装場所が必要となり、さらに発光中心位置が変化するという課題を有していた。また図４の場合は、切替え用部品が必要で、コストアップするという課題を有していた。
【００１０】
本発明は、前記従来の課題を解決するもので、余分な前記発光素子の実装場所を必要とせず、前記発光素子の発光部中心位置を変えず、切替え用部品も使用せずに、製品仕様にあわせて、前記発光素子と電気的に接続する接続部を切替え可能とした発光素子の電気配線構造を提供することを目的とする。
【課題を解決するための手段】
【００１１】
前記従来の課題を解決するために、本発明の発光素子の電気配線構造は、発光素子と、前記発光素子の発光部中心位置を変更せずに電気的接続可能な複数の接続部とを備えた発光素子の電気配線構造である。
【００１２】
本構成によって、前記発光素子は、前記発光素子と電気的に接続可能な複数の接続部を備え、前記発光素子の発光部中心位置を軸とし、前記発光素子の方向を変更する事で電気的に接続可能な接続部の一部を選択できる。
【００１３】
前記接続部に、単色表示用の接続部や、複数色表示用の接続部を用意することで、単色表示と複数色表示の切替えを行なう場合、余分な前記発光素子の実装場所を必要とせず、前記発光素子の発光部中心位置を変えず、切替え用部品も使用せずにできる。
【００１４】
また、本発明の発光素子の電気配線構造は、前記接続部が前記発光素子の表示制御を行なう制御部と接続されていることを特徴とする発光素子の電気配線構造である。
【００１５】
本構成によって、前記接続部は、前記発光素子の表示制御を行なう制御部と接続されており、前記発光素子の発光部中心位置を軸とし、前記発光素子の方向を変更する事で、切替え用部品を使用せずに電気的に接続可能な前記制御部の一部を選択できる。
【００１６】
また、本発明の発光素子の電気配線構造は、前記発光素子が、マトリックス状に配置された複数のＬＥＤ（発光ダイオード）で構成されたことを特徴とする前記電気配線構造を有する表示装置である。
【００１７】
本構成によって、マトリックス状に配置された複数のＬＥＤにより、文字や図柄、画像等の表示データを表示できることを特徴とする表示装置である。
【発明の効果】
【００１８】
本発明の発光素子の電気配線構造によれば、発光素子の余分な実装場所を必要とせず、発光素子の発光部中心位置を変えず、回路切替え用部品を使用せずに、製品仕様にあわせて、発光素子と電気的に接続する接続部を切替え可能とする発光素子の電気配線構造を実現することができる。
【発明を実施するための最良の形態】
【００１９】
以下本発明を実施するための最良の形態について、図面を参照しながら説明する。
【００２０】
（実施の形態１）
図１は、本発明の実施の形態１における発光素子の電気配線構造の発光素子単体におけるイメージ図である。図１において、発光素子としてアノードとカソードの接続部を各１つ持つＬＥＤを用いて説明を行なっていく。
【００２１】
図１において、発光素子の電気配線構造１０１は、ＬＥＤ単体について表したものであり、前記ＬＥＤを発光素子実装位置１０２に配置でき、前記ＬＥＤが電気的に接続可能な接続部１０４、接続部１０５、接続部１０６、接続部１０７を備えている。
【００２２】
かかる構成によれば、発光素子実装位置１０２に、発光素子の発光部中心１０３を軸にして、接続部１０４と接続部１０５、または、接続部１０６と接続部１０７と電気的に接続する様に前記ＬＥＤの方向を変えて配置することにより、前記ＬＥＤが、電気的に接続する接続部を、接続部１０４と接続部１０５、または、接続部１０６と接続部１０７に切替え可能となり、前記ＬＥＤの余分な実装場所を必要とせず、前記ＬＥＤの発光部中心位置を変えず、切替え用部品を使用せずに、前記発ＬＥＤと電気的に接続する接続部を切替えることができる。
【００２３】
なお、本実施の形態において、接続部として接続部１０４、接続部１０５、接続部１０６、接続部１０７を設けたが、物理的に可能な範囲で接続部の数を増やしても良い。
【００２４】
さらに、本実施の形態において、接続部として接続部１０４、接続部１０５、接続部１０６、接続部１０７を設けたが、接続部１０４と接続部１０５、及び接続部１０６と接続部１０７をそれぞれ電気的に共通の接続部としても良い。それぞれ共通の接続部とすることで、楕円形ＬＥＤ等の視野角特性が均一でないＬＥＤの視野角特性を切替えることが可能となる。
【００２５】
また、本実施の形態において、発光素子としてアノードとカソードの接続部を各１つ持つＬＥＤを用いたが、２端子以上の接続部を備えるＬＥＤとしても良い。
【００２６】
（実施の形態２）
図２は、本発明の実施の形態２における発光素子の電気配線構造の１画素を３個の発光素子で構成するイメージ図である。図２において、発光素子としてアノードとカソードの接続部を各１つ持つＬＥＤを用いて説明を行なっていく。
【００２７】
図２において、１画素分発光素子領域３０８内に、発光素子の電気配線構造３０１が３個配置されており、電源部３１０から発光素子に電圧を供給し、制御部３１１が１画素分発光素子領域３０８内の発光素子を点灯制御する。
【００２８】
かかる構成によれば、１画素分発光素子領域３０８を複数の発光素子の電気配線構造３０１で構成することにより、発光素子実装位置３０２に、発光素子の発光部中心３０３を軸にして、接続部３０４と接続部３０５、または、接続部３０６と接続部３０７と電気的に接続する様に前記ＬＥＤの方向を変えて配置することができる。
【００２９】
単色表示として使用する場合は、ＬＥＤ３個を接続部３０４と接続部３０５に電気的に接続する様に配置し、複数色表示として使用する場合は、赤色、青色、緑色のＬＥＤ各１個を接続部３０６と接続部３０７に電気的に接続する様に配置することで切替え可能となり、前記ＬＥＤの余分な実装場所を必要とせず、前記ＬＥＤの発光部中心位置を変えず、従来の単色表示用切替え部品１１０４や、複数色表示用切替え部品１１０５を使用せずに、１画素を構成する１画素分発光素子領域３０８の内に、単色表示と複数色表示を切替えることができる。
【００３０】
なお、本実施の形態において、１画素として３個の発光素子で構成するとしたが、構成する発光素子の個数を増減しても良い。
【００３１】
なお、本実施の形態において、効果として１画素を構成するＬＥＤを単色表示と複数色表示に切替えることができるとしたが、１画素を構成するＬＥＤの点灯制御を切替えるとしても良い。
【産業上の利用可能性】
【００３２】
本発明にかかる発光素子の電気配線構造は、発光素子の発光部中心を変えず、回路切替え用部品を使用せずに回路切替えが可能となり、発光素子を配置し、個々の発光素子の点灯や消灯を制御することで文字や静止画などの表示が可能な表示装置や表示ユニットに有用である。
【図面の簡単な説明】
【００３３】
【図１】本発明の実施の形態１における発光素子の電気配線構造の発光素子単体におけるイメージ図
【図２】本発明の実施の形態２における発光素子の電気配線構造の１画素を３個の発光素子で構成するイメージ図
【図３】従来の発光素子の電気配線構造の単色表示・複数色表示切替えイメージ図
【図４】従来の発光素子の電気配線構造の接続切替えイメージ図
【符号の説明】
【００３４】
１０１  発光素子の電気配線構造
１０２  発光素子実装位置
１０３  発光素子の発光部中心
１０４，１０５，１０６、１０７  接続部
３０１  発光素子の電気配線構造
３０２  発光素子実装位置
３０３  発光素子の発光部中心
３０４，３０５，３０６，３０７  接続部
３０８  １画素分発光素子領域
３１０  電源部
３１１  制御部
１００１  電源部
１００２  １画素分発光素子領域
１００３  制御部
１００４  単色表示用発光素子領域
１００５  複数色表示用発光素子領域
１００６  発光素子実装位置
１００７  接続部
１１０１  電源部
１１０２  １画素分発光素子領域
１１０３  制御部
１１０４  単色表示用切替え部品
１１０５  複数色表示用切替え部品
１１０６  発光素子実装位置
１１０７  接続部
【図１】
2009020377.tif 000003
【図２】
2009020377.tif 000004
【図３】
2009020377.tif 000005
【図４】
2009020377.tif 000006